(57)【要約】【課題】方法は、無線ネットワークにおいてトランスポートストリームのための帯域幅を動的に管理する。【解決手段】ネットワークのための利用可能な帯域幅が定義される。ＨＣＣＡカテゴリ及びＥＤＣＡカテゴリに従って送信されるトランスポートストリームによって要求される瞬間帯域幅が確定される。利用可能な帯域幅が瞬間帯域幅と比較され、瞬間帯域幅が利用可能な帯域幅と異なる場合、優先度の低いトランスポートストリームの帯域幅が動的に調節される。【選択図】図３Ａ
2007159105.tif 000002
【特許請求の範囲】
【請求項１】
無線ネットワークにおいてトランスポートストリームのための帯域幅を動的に管理する方法であって、
無線ネットワークにおける利用可能な帯域幅を定義するステップと、
ＨＣＣＡカテゴリ及びＥＤＣＡカテゴリに従って送信されるトランスポートストリームによって要求される瞬間帯域幅を確定するステップと、
前記利用可能な帯域幅と前記瞬間帯域幅とを比較するステップと、
前記瞬間帯域幅が前記利用可能な帯域幅と異なる場合に、優先度の低いトランスポートストリームの帯域幅を動的に調節するステップと
を含む帯域幅を動的に管理する方法。
【請求項２】
前記トランスポートストリームは、オーディオ・ビジュアルデータを伝送する請求項１に記載の方法。
【請求項３】
前記無線ネットワークは、ＩＥＥＥ８０２．１１標準規格に従って動作する請求項１に記載の方法。
【請求項４】
前記定義するステップ、前記確定するステップ、前記比較するステップ及び前記調節するステップは、前記ネットワークの論理リンク制御レイヤにおいて実行される請求項３に記載の方法。
【請求項５】
前記瞬間帯域幅は、ビーコン間隔毎の各トランスポートストリームによって送信されるデータの量に関連する請求項１に記載の方法。
【請求項６】
前記トランスポートストリームの優先度は、アプリケーションによって決まる請求項１に記載の方法。
【請求項７】
前記トランスポートストリームの優先度は、該トランスポートストリームの帯域幅要件に従って割り当てられる請求項１に記載の方法。
【請求項８】
前記ＥＤＣＡカテゴリは、競合期間中に使用され、前記ＨＣＣＡカテゴリは、非競合期間中に使用される請求項１に記載の方法。
【請求項９】
前記瞬間帯域幅要件は、前記ＨＣＣＡカテゴリに対して確定され、次いで前記ＥＤＣＡカテゴリに対して確定される請求項１に記載の方法。
【請求項１０】
前記調節するステップは、まず前記ＨＣＣＡカテゴリにおけるトランスポートストリームに対して実行され、次いで前記ＥＤＣＡカテゴリにおけるトランスポートストリームに対して実行される請求項１に記載の方法。
【請求項１１】
前記ネットワークでの伝送は、ビーコン間隔に従って調整され、各ビーコン間隔は、競合期間及び非競合期間を含み、前記調節するステップでは、前記瞬間帯域幅が前記利用可能な帯域幅より大きい場合に前記非競合期間の長さを増大させる請求項１に記載の方法。
【請求項１２】
前記ネットワークでの伝送は、ビーコン間隔に従って調整され、各ビーコン間隔は、競合期間及び非競合期間を含み、各非競合期間は、各トランスポートストリームに対する送信機会を含み、前記調節するステップでは、前記瞬間帯域幅が前記利用可能な帯域幅より大きい場合に優先度の低い方のトランスポートストリームの前記送信機会の長さを低減させる請求項１に記載の方法。
【請求項１３】
前記ネットワークでの伝送は、ビーコン間隔に従って調整され、各ビーコン間隔は、競合期間及び非競合期間を含み、前記調節するステップでは、前記瞬間帯域幅が前記利用可能な帯域幅より小さい場合に前記非競合期間の長さを低減させる請求項１に記載の方法。
【請求項１４】
前記ネットワークでの伝送は、ビーコン間隔に従って調整され、各ビーコン間隔は、競合期間及び非競合期間を含み、各非競合期間は、各トランスポートストリームに対する送信機会を含み、前記調節するステップでは、前記瞬間帯域幅が前記利用可能な帯域幅より小さい場合に優先度の低い方のトランスポートストリームの前記送信機会の長さを増大させる請求項１に記載の方法。
【請求項１５】
前記調節するステップでは、前記瞬間帯域幅が前記利用可能な帯域幅より大きい場合に優先度の低いトランスポートストリームの前記帯域幅を低減させる請求項１に記載の方法。
【請求項１６】
前記調節するステップでは、前記瞬間帯域幅が前記利用可能な帯域幅より小さい場合に優先度の低いトランスポートストリームの前記帯域幅を増大させる請求項１に記載の方法。
【発明の詳細な説明】
【技術分野】
【０００１】
本発明は、包括的には無線ローカルネットワークに関し、特に、無線ネットワークによるＡＶ伝送のためのサービス品質（ＱｏＳ）に関する。
【背景技術】
【０００２】
局（ＳＴＡ）の無線ネットワークにおいて、データ、特にオーディオ・ビジュアル（ＡＶ）データをストリーミングすることは、帯域幅（ビットレート）が高く、レイテンシが短く、且つ誤り率が低いという要件のため、困難である。従来のストリーミング技法では、良質なＡＶストリームを局に配信することは不可能であることが多い。
【０００３】
ＩＥＥＥ８０２．１１ｅ標準規格は、ＷｉＦｉネットワークとして知られるローカルエリアネットワーク（ＬＡＮ）のための一組のサービス品質（ＱｏＳ）向上を定義する。この標準規格は、音声、ビデオ及びマルチメディア等の帯域幅が高く、遅延の影響を受けるアプリケーションを可能にする。この標準規格はまた、たとえば１１〜５４Ｍｂｐｓの範囲におけるさまざまな帯域幅要件も定義する。
【０００４】
こうしたネットワークにおけるチャネルアクセスは、定期的に、たとえば１０回／秒でブロードキャストされるビーコン信号に従って調整される。ビーコン信号に関連する期間は、ビーコン間隔と呼ばれる。ビーコン間隔には、競合期間と非競合期間とがある。競合期間中、いかなる局も、何らかのランダムアクセス方法を使用してチャネルにアクセスすることができる。非競合期間中は、局は、干渉のない伝送を保証するために、厳密なスケジュールに従って割り当てられた送信機会（ＴＸＯＰ）又は「スロット」の間にのみチャネルにアクセスする。
【０００５】
ＩＥＥＥ８０２．１１標準規格は、ビットストリーム又は「トラフィックフロー」に対するＱｏＳを向上させるために、媒体アクセス（ＭＡＣ）レイヤにおいて高度分散チャネルアクセス（ＥＤＣＡ）カテゴリ及びハイブリッド調整機能（ＨＣＦ）制御チャネルアクセス（ＨＣＣＡ）カテゴリについて記述している。ＥＤＣＡは、競合ベースの転送のためのものであり、ＨＣＣＡは、非競合転送のためのものである。局は、これらのチャネル機構を使用してＴＸＯＰを取得することができる。
【０００６】
ＩＥＥＥ８０２．１１はまた、対応する優先度にマップされる４つのアクセスカテゴリ（ＡＣ）を高いものから低いものへの順で提供する。すなわち、音声、ビデオ、ベストエフォート及びローである。
【発明の開示】
【発明が解決しようとする課題】
【０００７】
しかしながら、それらの優先度は、時間の経過により利用可能なビットレート又は帯域幅が変化する無線ネットワークでは不適当である。たとえば、帯域幅は、フェージングチャネル状態及びネットワーク過負荷のために低減する可能性がある。ネットワーク過負荷は、「ベストエフォート」転送中の場合であり得るように、ネットワークトラフィックが管理されない場合に発生する可能性がある。その場合、選択されたストリームの品質は、他のＡＶストリームの品質を保証するために低下する。
【０００８】
図１は、ＩＥＥＥ８０２．１１ネットワークにおけるトラフィックフローのためのトラフィック仕様（ＴＳＰＥＣ）１００を示す。ＴＳＰＥＣは、トラフィックフローの特性及びＱｏＳ期待値を定義するパラメータを含む。必須パラメータには、ユーザが割り当てた優先度、平均データレート、公称ＭＡＣサービスデータユニット（ＭＳＤＵ）サイズ及び最大サービス間隔が含まれる。ＴＳＰＥＣの主な目的は、後に、より詳細に説明するように、資源を割り当てることである。特に重要なものは、以下のフィールドである。すなわち、平均データレート１０１、公称ＭＳＤＵサイズ１０２、ＴＳＩｎｆｏ  Ａｃｋポリシ１０３及びアクセスポリシ１０４である。
【０００９】
表Ａは、アクセスカテゴリマッピングに対する従来技術による優先度を示す。
【００１０】
【表１】
2007159105.tif 000003
【００１１】
ＩＥＥＥ８０２．１１標準規格は、IEEE 802.11 Std、「Wireless Medium Access Control (MAC) and Physical Layer (PHY) specifications」（1999）、IEEE Std. 802.11e-D8.0、「Draft Amendment to IEEE standard for Information Technology, Telecommunications and Information Exchange Between Systems - LAN/MAN Specific Requirements - Part 11: Wireless Medium Access Control (MAC) and Physical Layer (PHY) specifications」（February 2004）、Y. Xiao著、「IEEE 802.11e: QoS Provisioning at the MAC layer」（IEEE Wireless Communications, vol.11, pp.72-79, June 2004）、Z. Kong、D.H.K. Tsang、B.  Bensaou、D. Gao著、「Performance analysis of IEEE 802.11e contention-based channel access」（IEEE Selected Areas in Communications, vol.22, pp.2095-2106, December 2004）、Y. Xiao、H. Li著、「Evaluation of distributed admission control for the IEEE 802.11e EDCA」（IEEE Communications Magazine, vol.42, pp.S20-S24, September 2004）及びL.W. Lim、R. Malik、P.Y. Tan、C. Apichaichalermwongse、K. Ando、Y. Harada著、「A QoS scheduler for IEEE 802.11e WLANs」（First IEEE Consumer Communications and Networking Conference, pp.199-204, Jan 2004）においてさらに述べられている。
【課題を解決するための手段】
【００１２】
本発明の１つの実施の形態においては、局の無線ネットワークにおいてトラフィックストリームに対する帯域幅を動的に管理するＱｏＳ方法を提供する。本方法は、ＩＳＯデータレイヤの論理リンク制御（ＬＬＣ）レイヤで動作する。データレイヤはまた、媒体アクセス（ＭＡＣ）レイヤも含む。
【００１３】
ＱｏＳ方法は、すべてのトラフィックストリームに対して十分な帯域幅がない場合にいつでも優先度の高い方のトラフィックストリームに対して必要な帯域幅を保証する。
【００１４】
帯域幅を管理するために、本発明はまた、使用されている帯域幅の量及び使用可能な帯域幅の量を動的に確定する方法も提供する。
【００１５】
ＱｏＳ方法は、帯域幅状態を動的に監視する。帯域幅が十分である場合、何も行わない。帯域幅に対する要求が過剰となると、ＱｏＳ方法は、帯域幅割当てが低減されることになるか又は帯域幅が割り当てられない１つ又は複数の優先度の低い犠牲ストリームを選択する。帯域幅が利用可能となるとすぐに、犠牲ストリームに対する帯域幅割当てを直ちに増大させる。
【発明を実施するための最良の形態】
【００１６】
動的ＱｏＳ方法の詳細な説明
本発明の１つの実施の形態は、局の無線ネットワークにおいて、ビットストリームに対するビットレート（帯域幅）を管理するＱｏＳ方法を提供する。図１に示すように、本方法は、ビットレート、パケットサイズ、ＡＣＫポリシ及び媒体アクセスカテゴリ（ＥＤＣＡ又はＨＣＣＡ）等、ＩＥＥＥ８０２．１１トラフィック仕様（ＴＳＰＥＣ）１００によって指定されるような情報を使用することができる。定義されるビットレート（帯域幅）を、標準規格によって要求される範囲、たとえば１１〜５４Ｍｂｐｓ内にすることができる。
【００１７】
本方法はまた、変化するチャネル状態を動的に反映するために、帯域幅管理のために瞬間物理レイヤ（ＰＨＹ）ビットレート割当てを適用することも可能である。ＱｏＳ方法は、チャネル状態及びトラフィック負荷を動的に監視することにより帯域幅を効率的に管理する。
【００１８】
帯域幅を効率的に管理するために、解決されるべき１つの問題は、利用可能な帯域幅が十分であるか否かをいかに確定するかである。十分な帯域幅がない場合、いくつかのビットストリームの品質を低下させる必要のある場合がある。過度な帯域幅がある場合、いくつかのストリームの品質を向上させることができる。
【００１９】
本発明の実施の形態による方法は、「瞬間媒体時間」を確定することによって、この割当て問題を解決する。所与のトラフィックストリーム（ＴＳ）に対し、瞬間媒体時間は、瞬間ＰＨＹビットレートに従って所望の量のデータを送信するためにビーコン間隔中に必要な時間として定義される。瞬間媒体時間は、本質的に、ＴＳの瞬間帯域幅要件を反映する。
【００２０】
無線リンクの品質が変化しやすいことにより、ＰＨＹビットレートは、迅速に変化する可能性がある。したがって、ＴＳによって要求される瞬間媒体時間もまた、動的に変化する。すなわち、ＴＳによって要求される帯域幅は、チャネル状態が変化するに従って変化する。
【００２１】
図２は、パケットに対する瞬間媒体時間２０８とビーコン間隔に対する瞬間媒体時間２０９とを確定する手続き２００を示す。１つの実施の形態では、ネットワークは、ＩＥＥＥ８０２．１１標準規格に従って設計される。
【００２２】
この手続きは、ＱｏＳ方法により帯域幅を動的に管理するために使用される。各ＴＳに対し、ＴＳの平均データレート１０１は、時間の「瞬間」毎に送信されるデータの量、たとえばビット／秒２０１を示す。１秒当りに送信されるデータの量に基づいて、ＱｏＳ方法は、ビーコン間隔毎に送信されるデータの量２０２を確定する。このデータ量とＴＳ公称ＭＳＤＵサイズ１０２とを使用して、ＱｏＳ方法は、ビーコン間隔毎に送信されるパケットの数２０４を確定する（２０３）。ＴＳ  ＡＣＫポリシ１０３、ＳＩＦＳ時間２０５、瞬間ＰＨＹレート及び他のＰＨＹパラメータ２０６に基づいて、ＱｏＳ方法は、各パケットに対する瞬間媒体時間２０８と、各ビーコン間隔内に所与のＴＳによって必要とされる瞬間媒体時間２０９とを確定する（２０７）。
【００２３】
解決すべき第２の問題は、「犠牲」ＴＳをいかに選択するかである。犠牲ＴＳは、チャネルにおける利用可能な全帯域幅がすべてのＴＳに対して不十分である間に、他より低いビットレートが割り当てられ、又は恐らくは完全に停止するストリームである。さらに、帯域幅の割当て解除及び再割当てを管理する必要がある。
【００２４】
この問題を解決するために、ＱｏＳ方法は、各ＴＳに対して追加の優先度を定義する。この新たな優先度は、ＩＥＥＥ８０２．１１標準規格で述べられている従来の優先度とは異なる。そこでは、すべてのＡＶストリームに対してわずかな範囲の優先度が割り当てられる（表１を参照）。この新たな優先度は、アプリケーションによって決まる。
【００２５】
この新たな優先度を定義する１つの方法は、ＴＳビットレートを、優先度が高いほどビットレートＴＳが高いように優先度を割り当て、ビットレートＴＳが低いほど低い優先度を割り当てる。すなわち、優先度は、帯域幅要件によって決まる。ＱｏＳ方法は、この新たな優先度を使用して、帯域幅を保証すべきＴＳと、帯域幅が不足した場合に帯域幅を低減すべきＴＳとを確定する。
【００２６】
ＱｏＳ方法は、瞬間媒体時間及び新たな優先度を用いて、帯域幅を動的に管理することができる。ＱｏＳ方法は、チャネル状態及びトラフィック負荷に従って帯域幅割当てを動的に監視し且つ調節することにより、帯域幅管理動作を実行する。
【００２７】
目的は、帯域幅を効率よく使用して、優先度の高いＴＳに対する帯域幅を保証することである。
【００２８】
図３Ａ乃至図３Ｄは、本発明の１つの実施の形態によるＱｏＳ方法によって実行される動的帯域幅管理を示す。
【００２９】
ＩＥＥＥ８０２．１１標準規格によれば、時間は、ビーコン間隔と呼ばれる周期的間隔に分割される。各ビーコン間隔は、競合期間（ＣＰ）及び非競合期間（ＣＦＰ）から構成され、競合期間中にはＥＤＣＡカテゴリが使用され、非競合期間中にはＨＣＣＡカテゴリが使用される。したがって、ＱｏＳ方法は、アクセスポリシ１０４において指定されるカテゴリ、すなわちＨＣＣＡカテゴリ及びＥＤＣＡカテゴリに従ってＴＳを認識する。
【００３０】
図３Ａに示すように、ＱｏＳ方法は、まずＨＣＣＡカテゴリにおいて各ＴＳに対して瞬間媒体時間（ＩＭＴ）を確定することによりその動作を開始する。そして、ＱｏＳ方法は、ＴＨＭＴによって示される、ＨＣＣＡカテゴリのすべてのＴＳに対する全瞬間媒体時間を計算する（３０１）。本方法は、ＴＨＭＴを非競合期間長（ＣＦＰＬ）３０２と比較して、ＨＣＣＡカテゴリに対して割り当てられる帯域幅が不十分であるか又は余分の帯域幅が利用可能であるかを判断する（３０３）。これには、２つの場合がある。
【００３１】
場合１：ＴＨＭＴがＣＦＰＬより大きい。これは、ＨＣＣＡカテゴリによる必要な帯域幅が割り当てられた帯域幅より大きいことを意味する。すなわち、ＨＣＣＡカテゴリに対する帯域幅は不十分である。Ｄが、ＴＨＭＴ−ＣＦＰＬを示すものとする（３０４）。ＱｏＳ方法は、変更されるものとしてマークされ、変更済みＴＳリスト（ＭＴＳＬ）に挿入される「犠牲」として、最低優先度のＴＳを選択する（３０５）。
【００３２】
ＱｏＳ方法は、犠牲がＨＣＣＡカテゴリにあるか否かを判断する（３０６）。犠牲がＨＣＣＡカテゴリにあり、且つ割り当てられたその合計時間（ＴＴＡ）がＤより大きい場合（３０７）、ＱｏＳ方法は、そのＴＴＡをＤだけ低減する（３０８）。これにより、ＨＣＣＡカテゴリに対する帯域幅不足問題が、実際に解決する。ＱｏＳ方法は、ＴＥＭＴによって示される、ＥＤＣＡカテゴリのすべてのＴＳに対する合計瞬間媒体時間を計算する（３０９）。
【００３３】
犠牲がＨＣＣＡカテゴリにあり、且つそのＴＴＡがＤより小さい場合、ＱｏＳ方法は、犠牲が送信されるのを拒否し（３１０）、すなわち、送信が一時的に終了する。ＨＣＣＡカテゴリに対する帯域幅が依然として不十分であるため、ＱｏＳ方法は、ＨＣＣＡカテゴリに対する帯域幅不足問題が解決するまで、送信における最低優先度のＴＳを選択し続ける（３１１）。
【００３４】
犠牲がＥＤＣＡカテゴリにあり、且つそのＩＭＴがＤより大きい場合（３１２）、ＱｏＳ方法は、犠牲に対するＥＤＣＡパラメータを再計算し（３１３）、非競合期間の長さをＤだけ増大させ（３１４）、ＨＣＣＡカテゴリに対する帯域幅不足問題が解決したためＴＥＭＴを計算する（３１５）。
【００３５】
犠牲がＥＤＣＡカテゴリにあり、且つそのＩＭＴがＤより小さい場合、ＱｏＳ方法は、犠牲が送信されるのを拒否してＤを更新し（３１６）、非競合期間の長さをＩＭＴだけ増大させ（３１７）、ＨＣＣＡカテゴリに対する帯域幅不足問題がまだ解決していないため、最低優先度のＴＳを選択する（３１８）。犠牲ストリームが、ＨＣＣＡカテゴリを使用して送信されている場合、ＱｏＳ方法は、新たなＴＴＡに従って犠牲をポーリングする。犠牲がＥＤＣＡカテゴリにある場合、ＱｏＳ方法は、犠牲送信機に対し、ＥＤＣＡパラメータの変更に関して通知する。送信機は、こうした通知を受け取ると、新たなＥＤＣＡパラメータを直ちに使用する。
【００３６】
場合２：図３Ｂに示すように、ＴＨＭＴは、ＣＦＰＬより小さい。これは、ＨＣＣＡカテゴリＴＳによる必要な帯域幅が割り当てられた帯域幅より小さいことを示す。すなわち、余分の非競合期間が利用可能である（３１９）。ＱｏＳ方法は、この余分の時間を再分配する。
【００３７】
Ｄが、ＣＦＰＬ−ＴＨＭＴを示すものとする（３２０）。ＱｏＳ方法は、ＭＴＳＬが空であるか否かを検査する（３２１）。空である場合、ＱｏＳ方法は、ＴＥＭＴを計算する（３２２）。空でない場合、ＱｏＳ方法は、ＭＴＳＬにおける最高優先度のＴＳを選択する（３２３）。ＱｏＳ方法は、選択されたＴＳがＨＣＣＡカテゴリにあるか否かを判断する（３２４）。ＴＳがＨＣＣＡカテゴリにあり、且つそのＴＴＡ＋ＤがそのＩＭＴより小さい場合（３２５）、ＱｏＳ方法は、そのＴＴＡをＤだけ増大させる（３２６）。ＴＳは、その帯域幅要件が完全には満足されていないため、ＭＴＳＬに残る。それ以上余分の非競合期間は残っていないため、ＱｏＳ方法は、ＴＥＭＴを計算する（３２７）。
【００３８】
ＴＳがＨＣＣＡカテゴリにあり、且つそのＴＴＡ＋ＤがそのＩＭＴより大きい場合、ＱｏＳ方法は、そのＴＴＡをＩＭＴまで増大させ（３２８）、ＭＴＳＬからＴＳを除去する。余分の非競合期間が完全には使用されていないため、ＱｏＳ方法は、ＭＴＳＬを検査する（３２９）。
【００３９】
ＴＳがＥＤＣＡカテゴリにあり、且つそのＩＭＴがＤより大きい場合（３３０）、ＱｏＳ方法は、このＴＳに対してＥＤＣＡパラメータを再計算し（３３１）、ＣＦＰＬをＤだけ低減し（３３２）、ＴＥＭＴを計算する（３３３）。ＴＳは、ＭＴＳＬに留まる。
【００４０】
ＴＳがＥＤＣＡカテゴリにあり、且つそのＩＭＴがＤより小さい場合、ＱｏＳ方法は、送信されるべきＴＳに通常のＥＤＣＡパラメータを使用させ（３３４）、ＭＴＳＬからＴＳを除去し、ＣＦＰＬをＩＭＴだけ低減し（３３５）、余分の非競合期間が依然として残っているためＭＴＳＬを検査する（３３６）。ＱｏＳ方法は、ＴＳ送信機に対し、ＥＤＣＡパラメータの変更に関して通知する。
【００４１】
図３Ｃに示すように、ＱｏＳ方法は、ＨＣＣＡカテゴリに対して帯域幅割当てを調節した後、ＥＤＣＡカテゴリに対して同様の帯域幅管理動作を実行する。ＱｏＳ方法は、ＴＥＭＴを計算し（３３７）、競合期間長（ＣＰＬ）を計算する（３３８）。そして、方法は、ＴＥＭＴをＣＰＬと比較して（３３９）、ＥＤＣＡカテゴリに割り当てられた帯域幅が十分であるか否かを判断し、必要な場合は帯域幅調節を実行する。このときも同様に、２つの場合が考えられる。
【００４２】
場合１：ＴＥＭＴがＣＰＬより大きい。これは、ＥＤＣＡカテゴリによる必要な帯域幅が割り当てられた帯域幅より大きいことを意味する。すなわち、ＥＤＣＡカテゴリに対する帯域幅が不十分である。
【００４３】
Ｄが、ＴＥＭＴ−ＣＰＬを示すものとする（３４０）。ＱｏＳ方法は、変更されるものとしてマークされＭＴＳＬに追加される犠牲として、送信における最低優先度のＴＳを選択する（３４１）。ＱｏＳ方法は、犠牲がＨＣＣＡカテゴリにあるか否かを判断する（３４２）。
【００４４】
犠牲がＨＣＣＡカテゴリにあり、且つそのＴＴＡがＤより大きい場合（３４３）、ＱｏＳ方法は、そのＴＴＡをＤだけ低減し（３４４）、したがってＣＦＰＬをＤだけ低減する（３４５）。これは、ＥＤＣＡカテゴリに十分な帯域幅を提供し、ＱｏＳ方法は終了する（３４６）。
【００４５】
犠牲がＨＣＣＡカテゴリにあり、且つそのＴＴＡがＤより小さい場合、ＱｏＳ方法は、ＣＦＰＬをＴＴＡだけ低減し（３４７）、Ｄを更新し、犠牲が送信されるのを拒否する（３４８）。ＥＤＣＡカテゴリに対する帯域幅が依然として不足しているため、ＱｏＳ方法は、再び送信における最低優先度のＴＳを選択する（３４９）。
【００４６】
犠牲がＥＤＣＡカテゴリにあり、且つそのＩＭＴがＤより大きい場合（３５０）、ＱｏＳ方法は、犠牲３５１に対しＥＤＣＡパラメータを再計算し、終了する（３５２）。
【００４７】
犠牲がＥＤＣＡカテゴリにあり、且つそのＩＭＴがＤより小さい場合、ＱｏＳ方法は、犠牲が送信されるのを拒否し（３５３）、再び送信における最低優先度のＴＳを選択する（３５４）。
【００４８】
場合２：ＴＥＭＴがＣＰＬより小さい。これは、余分の競合期間が利用可能であることを示す（３５５）。ＱｏＳ方法は、図３Ｄに示すように、余分の時間を再分配する。ＤがＣＰＬ−ＴＥＭＴを示すものとする（３５６）。ＱｏＳ方法は、ＭＴＳＬが空であるか否かを検査する（３５７）。空である場合、帯域幅調節は必要でなく、ＱｏＳ方法は終了する（３５８）。
【００４９】
空でない場合、ＱｏＳ方法は、ＭＴＳＬにおける最高優先度のＴＳを選択する（３５９）。ＱｏＳ方法は、選択されたＴＳがＨＣＣＡカテゴリにあるか否かを判断する（３６０）。ＴＳがＨＣＣＡカテゴリにあり、且つそのＴＴＡ＋ＤがそのＩＭＴより小さい場合（３６１）、ＱｏＳ方法は、そのＴＴＡ及びＣＦＰＬをＤだけ増大させ（３６２）、終了する（３６３）。
【００５０】
ＴＳがＨＣＣＡカテゴリにあり、且つそのＴＴＡ＋ＤがそのＩＭＴより大きい場合、ＱｏＳ方法は、そのＴＴＡをＩＭＴまで増大させ、したがってＣＦＰＬを増大させる（３６４）。ＴＳは、ＭＴＳＬから除去される。余分の競合期間が完全には使用されていないため、ＱｏＳ方法は、再びＭＴＳＬを検査する（３６５）。
【００５１】
ＴＳがＥＤＣＡカテゴリにあり、且つそのＩＭＴがＤより大きい場合（３６５）、ＱｏＳ方法は、このＴＳに対してＥＤＣＡパラメータを再計算し（３６７）、終了する（３６８）。
【００５２】
しかしながら、ＴＳは、依然としてＭＴＳＬに留まる。ＴＳがＥＤＣＡカテゴリにあり、且つそのＩＭＴがＤより小さい場合、ＱｏＳ方法は、送信されるべきＴＳに対しその通常のＥＤＣＡパラメータを使用させ（３６９）、ＭＴＳＬからＴＳを除去し、Ｄを更新し（３７０）、余分の競合期間が依然として残っているためＭＴＳＬを再び検査する（３７１）。
【００５３】
発明の効果
ＱｏＳ制御は、特に無線ＡＶネットワークの場合に重要である。本発明の実施の形態によるＱｏＳ方法は、ＭＡＣレイヤより上のＬＬＣレイヤで動作する。ＱｏＳ方法は、帯域幅が不十分である場合に帯域幅を管理する効率的なメカニズムを提供する。
【００５４】
ＱｏＳ方法により、優先度の高い方のＡＶストリームに対する帯域幅が保証され、帯域幅が不足している間は、優先度の低い方のＡＶストリームのみが影響を受ける。
【図面の簡単な説明】
【００５５】
【図１】ＩＥＥＥ８０２．１１標準規格によるトラフィックフローに対する従来技術によるトラフィック仕様のブロック図である。
【図２】本発明の１つの実施の形態による瞬間媒体時間を確定する方法のブロック図である。
【図３Ａ】本発明の１つの実施の形態による動的帯域幅管理方法のフローチャートである。
【図３Ｂ】本発明の１つの実施の形態による動的帯域幅管理方法のフローチャートである。
【図３Ｃ】本発明の１つの実施の形態による動的帯域幅管理方法のフローチャートである。
【図３Ｄ】本発明の１つの実施の形態による動的帯域幅管理方法のフローチャートである。
【図１】
2007159105.tif 000004
【図２】
2007159105.tif 000005
【図３Ａ】
2007159105.tif 000006
【図３Ｂ】
2007159105.tif 000007
【図３Ｃ】
2007159105.tif 000008
【図３Ｄ】
2007159105.tif 000009
【外国語明細書】
2007159105.tif 000010
2007159105.tif 000011
2007159105.tif 000012
2007159105.tif 000013
2007159105.tif 000014
2007159105.tif 000015
2007159105.tif 000016
2007159105.tif 000017
2007159105.tif 000018
2007159105.tif 000019
2007159105.tif 000020
2007159105.tif 000021
2007159105.tif 000022
2007159105.tif 000023
2007159105.tif 000024
2007159105.tif 000025
2007159105.tif 000026
2007159105.tif 000027
2007159105.tif 000028
2007159105.tif 000029
2007159105.tif 000030
2007159105.tif 000031
2007159105.tif 000032
2007159105.tif 000033